【手続補正書】
【提出日】令和3年10月22日(2021.10.22)
【手続補正１】
【補正対象書類名】特許請求の範囲
【補正対象項目名】全文
【補正方法】変更
【補正の内容】
【特許請求の範囲】
【請求項１】
観察者に対して像を表示する光学システムであって、
湾曲した第１の主表面を備える第１の光学レンズと、
前記第１の光学レンズの前記湾曲した第１の主表面上に配設され、かつそれに適合し、第１、第２、及び第３の色光のそれぞれに対して少なくとも３０％の平均光反射率を有する部分反射体と、
湾曲した第１の主表面を備える第２の光学レンズと、
前記第２の光学レンズの前記湾曲した第１の主表面上に配設され、かつそれに適合する一体型反射型偏光子とを備え、
前記一体型反射型偏光子は、第１の偏光状態を有する前記第１の色光を反射し、直交する第２の偏光状態を有する前記第１の色光を透過させ、かつ、前記第１及び前記第２の偏光状態のそれぞれについて前記第２及び第３の色光を透過させるように構成された、連続的に配列された第１の複数干渉層と、
第１の合計厚さを有する１つ以上の第１の非干渉層によって前記第１の複数干渉層と隔てられ、前記第１の偏光状態を有する前記第２の色光を反射し、前記第２の偏光状態を有する前記第２の色光を透過させ、かつ、前記第１の偏光状態と前記第２の偏光状態のそれぞれについて前記第１及び前記第３の色光を透過させるように構成された、連続的に配置された第２の複数干渉層と、
第２の合計厚さを有する１つ以上の第２の非干渉層によって前記第２の複数干渉層と隔てられ、前記第１の偏光状態を有する前記第３の色光を反射し、前記第２の偏光状態を有する前記第３の色光を透過させ、かつ、前記第１の偏光状態と前記第２の偏光状態のそれぞれについて前記第１及び前記第２の色光を透過させるように構成された、連続的に配置された第３の複数干渉層と、を含み、前記第１、第２、及び第３の複数干渉層内の各干渉層は、主に光干渉によって光を反射又は透過させ、前記第１及び前記第２の各非干渉層は、主に光干渉によって光を反射又は透過させず、前記第２の複数干渉層は、前記第１の複数干渉層と前記第３の複数干渉層の間に配設されており、前記第１及び第２の厚さのそれぞれを１０％増大させると、前記光学システムの色収差の大きさが少なくとも２０％増大する、
光学システム。
【請求項２】
前記第１の色光は赤色、前記第２の色光は緑色、前記第３の色光は青色である、請求項１に記載の光学システム。
【請求項３】
前記第１、第２、及び第３の複数干渉層内の各干渉層は、２００ｎｍ未満の厚さを有し、前記第１及び第２の各非干渉層は、１マイクロメートルを超える厚さを有する、請求項１に記載の光学システム。
【請求項４】
前記第１及び第２の厚さのそれぞれを１０％変化させることは、前記第１及び第２の厚さのそれぞれを１０％増大させることを含む、請求項１に記載の光学システム。
【請求項５】
前記第１及び第２の厚さのそれぞれを１０％変化させることは、前記第１及び第２の厚さのそれぞれを１０％縮小させることを含む、請求項１に記載の光学システム。
【請求項６】
前記色収差は、縦方向の色収差である、請求項１に記載の光学システム。
【請求項７】
前記一体型反射型偏光子は、対向する第１及び第２の主表面を備え、前記第２の主表面は、前記観察者に面しており、前記光学システムは、前記第２の色光に対する前記第１の色光の第１の縦方向の色収差ｄ１を有し、前記第１の主表面が前記観察者に面するように前記一体型反射型偏光子を反転させることにより、前記光学システムは、前記第３の色光に対する前記第１の色光の第２の縦方向の色収差ｄ２を有するようになり、ｄ２＞ｄ１である、
請求項１〜６のいずれか一項に記載の光学システム。
【請求項８】
観察者に対して像を表示する光学イメージングシステムであって、第１及び第２の反射ゾーンを備える反射型偏光子を備え、前記反射型偏光子に実質的に垂直に入射する光について、前記第１のゾーンは、第１の波長範囲内の光を実質的に反射し、かつ、別の重複しない第２の波長範囲内の光を実質的に透過させ、前記第２のゾーンは、前記第２の波長範囲内の光を実質的に反射し、かつ、前記第１の波長範囲内の光を実質的に透過させ、前記第１及び第２の反射ゾーンは、それぞれに対応する、距離ｄだけ離れた第１及び第２の中間点を有する第１及び第２の厚さを有し、前記第１の反射ゾーンと前記第２の反射ゾーンが直接隣接するようにｄを減少させたときに引き起こされる、前記光学イメージングシステムの、前記第２の波長範囲に対する前記第１の波長範囲の縦方向の色収差は、距離ｈであり、０．３ｈ≦ｄ≦０．７ｈである、
光学イメージングシステム。
【請求項９】
前記反射型偏光子は、前記第１の反射ゾーンと前記第２の反射ゾーンの間に配設された第３の反射ゾーンを更に備え、前記第３のゾーンは、前記第１の波長範囲と前記第２の波長範囲の間の第３の波長範囲内の光を実質的に反射する、請求項８に記載の光学イメージングシステム。
【請求項１０】
前記反射型偏光子は、対向する第１及び第２の主表面を備え、前記第２の主表面は、観察者に面しており、前記光学イメージングシステムは、前記第２の波長範囲内の光に対する前記第１の波長範囲内の光の第１の縦方向の色収差ｄ１を有し、前記第１の主表面が前記観察者に面するように前記反射型偏光子を反転させることにより、前記光学イメージングシステムは、前記第２の波長範囲内の光に対する前記第１の波長範囲内の光の第２の縦方向の色収差ｄ２を有するようになり、ｄ２＞ｄ１である、
請求項８又は９に記載の光学イメージングシステム。
【請求項１１】
観察者に対して物体の像を表示する光学イメージングシステムであって、対向する第１及び第２の主表面を含む反射型偏光子を備え、前記第１の主表面は、前記物体に面しており、前記光学イメージングシステムは、第２の色波長に対する第１の色波長の第１の縦方向の色収差ｄ１を有し、前記第２の主表面が前記物体に対面するように前記反射型偏光子を反転させることにより、前記光学イメージングシステムは、前記第２の色波長に対する前記第１の色波長の第２の縦方向の色収差ｄ２を有するようになり、ｄ２＞ｄ１である、
光学イメージングシステム。
【請求項１２】
前記反射型偏光子は、
第１の偏光状態について前記第１の色波長を有する光を反射し、直交する第２の偏光状態について前記第１の色波長を有する光を透過させ、かつ、前記第１及び第２の偏光状態のそれぞれについて前記第２の色波長を有する光を透過させるように構成された第１の複数干渉層と、
第１の偏光状態について前記第２の色波長を有する光を反射し、前記第２の偏光状態について前記第２の色波長を有する光を透過させ、かつ、前記第１及び第２の偏光状態のそれぞれについて前記第１の色波長を有する光を透過させるように構成された第２の複数干渉層と、を備え、
前記第１及び第２の複数干渉層は、それぞれの第１及び第２の中間点を有し、前記第１の中間点と前記第２の中間点との距離を１０％変化させることにより、前記第１の縦方向の色収差は、少なくとも２０％増大する、
請求項１１に記載の光学イメージングシステム。
【請求項１３】
観察者に対して物体の像を表示する光学イメージングシステムであって、
前記物体に面する第１の主表面と、少なくとも５０個の複数のポリマー干渉層を有し、かつ少なくとも４００〜６００ｎｍにわたる所定の波長範囲内で主に光学干渉によって光を反射及び透過させる反射型偏光子と、を備え、前記第１の主表面が前記物体の反対方向を向くように前記反射型偏光子を反転させることにより、前記光学イメージングシステムの前記所定の波長範囲内の縦方向色収差は、少なくとも２０％増大する、
光学イメージングシステム。
【請求項１４】
前記反射型偏光子は、第１及び第２の反射ゾーンを備え、前記反射型偏光子に実質的に垂直に入射する光について、前記第１のゾーンが所定の波長範囲内の第１の波長範囲内の光を実質的に反射し、かつ、別の重複しない、前記所定の波長範囲内の第２の波長範囲内の光を実質的に透過させ、前記第２のゾーンは、前記第２の波長範囲内の光を実質的に反射し、かつ、前記第１の波長範囲内の光を実質的に透過させ、前記第１及び第２の反射ゾーンは、それぞれに対応する、距離ｄだけ離れた第１及び第２の中間点を有する第１及び第２の厚さを有し、前記第１の反射ゾーンと第２の反射ゾーンが直接隣接するようにｄを減少させたときに引き起こされる、前記光学イメージングシステムの、前記第２の波長範囲に対する前記第１の波長範囲の縦方向の色収差は、距離ｈであり、０．３ｈ≦ｄ≦０．７ｈである、
請求項１３に記載の光学イメージングシステム。
【請求項１５】
前記反射型偏光子は、一体的に形成されており、
第１の偏光状態を有する第１の色光を反射し、直交する第２の偏光状態を有する前記第１の色光を透過させ、かつ、前記第１及び第２の偏光状態のそれぞれについて第２及び第３の色光を透過させるように構成された、連続的に配列された第１の複数干渉層と、
第１の合計厚さを有する１つ以上の第１の非干渉層によって前記第１の複数干渉層と隔てられ、前記第１の偏光状態を有する前記第２の色光を反射し、前記第２の偏光状態を有する前記第２の色光を透過させ、かつ、前記第１の偏光状態と前記第２の偏光状態のそれぞれについて前記第１及び第３の色光を透過させるように構成された、連続的に配置された第２の複数干渉層と、
第２の合計厚さを有する１つ以上の第２の非干渉層によって前記第２の複数干渉層と隔てられ、前記第１の偏光状態を有する前記第３の色光を反射し、前記第２の偏光状態を有する前記第３の色光を透過させ、かつ、前記第１の偏光状態と前記第２の偏光状態のそれぞれについて前記第１及び第２の色光を透過させるように構成された、連続的に配置された第３の複数干渉層と、を含み、前記第１、第２、及び第３の複数干渉層内の各干渉層は、主に光干渉によって光を反射又は透過させ、前記第１及び第２の各非干渉層は、主に光干渉によって光を反射又は透過させず、前記第２の複数干渉層は、前記第１の複数干渉層と前記第３の複数干渉層の間に配設されており、前記第１及び第２の厚さのそれぞれを１０％増大させると、前記光学イメージングシステムの前記所定の波長範囲内の縦方向の色収差の大きさが少なくとも２０％増大する、
請求項１３又は１４に記載の光学イメージングシステム。